(57)【要約】【課題】  簡易な構成によって防災情報を住民に確実に伝達できる防災無線システム、戸別受信機およびクレードルを提供する。【解決手段】防災無線システムは、防災無線信号を送信する親局１１と、家屋に戸別に設置され防災無線信号を受信する戸別受信機３０とを備える。戸別受信機３０は、親局１１から送信されてきた防災無線信号を受信する防災無線受信部と、この防災無線受信部によって受信された防災無線信号を近距離無線信号に変換する近距離変換部と、この近距離変換部によって変換された近距離無線信号を送信する近距離無線送信部とを備える。こうした簡易な構成によって防災情報を住民に確実に伝達することができる。【選択図】      図２
2015200923.tif 000002
【特許請求の範囲】
【請求項１】
防災無線信号を送信する親局と、家屋に戸別に設置され前記防災無線信号を受信する戸別受信機とを備えた防災無線システムであって、
前記戸別受信機は、
前記親局から送信されてきた防災無線信号を受信する防災無線受信部と、
前記防災無線受信部によって受信された防災無線信号を近距離無線信号に変換する近距離変換部と、
前記近距離変換部によって変換された近距離無線信号を送信する近距離無線送信部とを備えたことを特徴とする防災無線システム。
【請求項２】
家屋に戸別に設置され、防災無線信号を受信する戸別受信機であって、
送信されてきた防災無線信号を受信する防災無線受信部と、
前記防災無線受信部によって受信された防災無線信号を近距離無線信号に変換する近距離変換部と、
前記近距離変換部によって変換された近距離無線信号を送信する近距離無線送信部とを備えたことを特徴とする戸別受信機。
【請求項３】
前記家屋の外側に設置されたことを特徴とする請求項２に記載の戸別受信機。
【請求項４】
防災無線信号を送信する親局と、前記防災無線信号を受信する戸別受信機と、前記戸別受信機を載置するクレードルとを備えた防災無線システムであって、
前記戸別受信機は、
前記親局から送信されてきた防災無線信号を受信する防災無線受信部と、
前記防災無線受信部によって受信された防災無線信号を前記クレードルに出力する外部出力部とを備え、
前記クレードルは、
前記戸別受信機を載置する台座と、
前記台座に載置された戸別受信機の外部出力部に接続され、防災無線信号が入力される外部入力部と、
前記外部入力部に入力された防災無線信号を近距離無線信号に変換する近距離変換部と、
前記近距離変換部によって変換された近距離無線信号を送信する近距離無線送信部とを備えたことを特徴とする防災無線システム。
【請求項５】
防災無線信号を受信する戸別受信機であって、
送信されてきた防災無線信号を受信する防災無線受信部と、
前記防災無線受信部によって受信された防災無線信号を出力する外部出力部とを備えたことを特徴とする戸別受信機。
【請求項６】
防災無線信号を受信する戸別受信機を載置するクレードルであって、
前記戸別受信機を載置する台座と、
前記台座に載置された戸別受信機の外部出力部に接続され、防災無線信号が入力される外部入力部と、
前記外部入力部に入力された防災無線信号を近距離無線信号に変換する近距離変換部と、
前記近距離変換部によって変換された近距離無線信号を送信する近距離無線送信部とを備えたことを特徴とするクレードル。
【発明の詳細な説明】
【技術分野】
【０００１】
本発明は、防災無線信号を送信する親局と、前記防災無線信号を受信する戸別受信機とを備えた防災無線システム、その防災無線システムの戸別受信機、およびその戸別受信機を載置するクレードルに関するものである。
【背景技術】
【０００２】
従来の防災無線システム（例えば、非特許文献１を参照）では、親局から送信された防災無線信号を戸別受信機や拡声子局が受信し、音声による防災放送や、各種情報を表示する。戸別受信機は、屋内に設置される。屋内で受信状態が悪い場合は、専用の屋外アンテナを設置することで受信状況の改善を図っている。防災無線システムでは、親局と拡声子局や戸別受信機との間に中継局を設置する場合もある。拡声子局は屋外への音声での防災情報の伝達を実施し、戸別受信機は屋内の主に一般住民への防災情報の伝達を担う。
【先行技術文献】
【非特許文献】
【０００３】
【非特許文献１】一般社団法人電波産業会標準規格ＡＲＩＢ  ＳＴＤ−Ｔ８６（市町村デジタル同報通信システム）２００７年５月２９日３．０版  第２章http://www.arib.or.jp/english/html/overview/doc/1-STD-T86v3_0.pdf
【特許文献】
【０００４】
【特許文献１】特開2006-059010号公報
【特許文献２】特開2008-117038号公報
【特許文献３】特開2007-174485号公報
【発明の概要】
【発明が解決しようとする課題】
【０００５】
従来の戸別受信機は屋内の受信状態が良くない場合は、専用の屋外アンテナを設置することで対応していたが、これは壁面に取付のための金具を取り付けたり、アンテナケーブルを通すための穴を壁面にあける必要があり、賃貸住宅等を中心に住民の同意を得ることが難しく、また整備費用が高額になる問題があった。
【０００６】
戸別受信機は避難情報等を夜間でも住民に報知する必要があるが、屋外アンテナを設置しない場合には、戸別受信機を受信状況の良い窓際等に設置する必要が生じるため、本来設置したい場所との乖離が生じ、住民への伝達に問題が生じていた。
【０００７】
頻発する激甚災害に対し、消防庁は多種多様な手段で住民に防災情報を伝達するシステムの構築をベンダーや自治体に求めており、これまでの防災行政無線として独立したシステムではなく、既設のシステムと防災行政無線が連携した防災情報の伝達が必要である。
【０００８】
本発明の目的は、簡易な構成によって防災情報を住民に確実に伝達できる防災無線システム、戸別受信機およびクレードルを提供することである。
【課題を解決するための手段】
【０００９】
本発明は、防災無線信号を送信する親局と、家屋に戸別に設置され前記防災無線信号を受信する戸別受信機とを備えた防災無線システムであって、
前記戸別受信機は、
前記親局から送信されてきた防災無線信号を受信する防災無線受信部と、
前記防災無線受信部によって受信された防災無線信号を近距離無線信号に変換する近距離変換部と、
前記近距離変換部によって変換された近距離無線信号を送信する近距離無線送信部とを備えたことを特徴とする防災無線システムである。
【００１０】
また本発明は、家屋に戸別に設置され、防災無線信号を受信する戸別受信機であって、
送信されてきた防災無線信号を受信する防災無線受信部と、
前記防災無線受信部によって受信された防災無線信号を近距離無線信号に変換する近距離変換部と、
前記近距離変換部によって変換された近距離無線信号を送信する近距離無線送信部とを備えたことを特徴とする戸別受信機である。
【００１１】
また本発明は、防災無線信号を送信する親局と、前記防災無線信号を受信する戸別受信機と、前記戸別受信機を載置するクレードルとを備えた防災無線システムであって、
前記戸別受信機は、
前記親局から送信されてきた防災無線信号を受信する防災無線受信部と、
前記防災無線受信部によって受信された防災無線信号を前記クレードルに出力する外部出力部とを備え、
前記クレードルは、
前記戸別受信機を載置する台座と、
前記台座に載置された戸別受信機の外部出力部に接続され、防災無線信号が入力される外部入力部と、
前記外部入力部に入力された防災無線信号を近距離無線信号に変換する近距離変換部と、
前記近距離変換部によって変換された近距離無線信号を送信する近距離無線送信部とを備えたことを特徴とする防災無線システムである。
【００１２】
また本発明は、防災無線信号を受信する戸別受信機であって、
送信されてきた防災無線信号を受信する防災無線受信部と、
前記防災無線受信部によって受信された防災無線信号を出力する外部出力部とを備えたことを特徴とする戸別受信機。
【００１３】
また本発明は、防災無線信号を受信する戸別受信機を載置するクレードルであって、
前記戸別受信機を載置する台座と、
前記台座に載置された戸別受信機の外部出力部に接続され、防災無線信号が入力される外部入力部と、
前記外部入力部に入力された防災無線信号を近距離無線信号に変換する近距離変換部と、
前記近距離変換部によって変換された近距離無線信号を送信する近距離無線送信部とを備えたことを特徴とするクレードルである。
【発明の効果】
【００１４】
以上のように本発明によれば、簡易な構成によって防災情報を住民に確実に伝達することができる。
【図面の簡単な説明】
【００１５】
【図１】標準的な防災無線システムの参照例を示す構成図である。
【図２】本発明の実施の形態１に係る防災無線システムを示す構成図である。
【図３】戸別受信機の詳細構成を示す図である。
【図４】本発明の実施の形態２に係る防災無線システムを示す構成図である。
【図５】本発明の実施の形態３に係る防災無線システムを示す構成図である。
【図６】戸別受信機およびクレードルの詳細構成を示す図である。
【発明を実施するための形態】
【００１６】
参照例．
図１は、標準的な防災無線システムの参照例を示す構成図である。防災無線システムは、例えば、非特許文献１に記載される方式のシステムであって、親局１１、拡声子局１２、戸別受信機１５、戸別受信機２５、アンテナ２８を備えている。
【００１７】
親局１１は、防災無線信号を同報送信する。防災無線信号には、音声または文字などからなる防災情報が含まれる。拡声子局１２は、屋外に設置され、親局１１から送信されてきた防災無線信号を受信し、受信した防災無線信号に含まれる音声の防災情報を大型スピーカで周辺住民に伝達する。
【００１８】
戸別受信機１５は、家屋１４の内部に設置され、親局１１から送信されてきた防災無線信号を受信し、屋内の住民に防災情報を伝達する。設置場所としては、家屋１４の内部のうち、親局１１を臨む側に配置された部屋１６であり、その中でも防災無線信号の受信状況が比較的良好な箇所、例えば、窓際等が選択される。これにより、台風が通過する際やその他で窓を密閉した際に拡声子局１２からの音声が届きにくい屋内に居る住民に対しても、防災情報等を伝達できる。但し、家屋１４のうち部屋１６以外の部屋１７に住民が居る場合は、防災情報を伝達できないこともあり得る。
【００１９】
戸別受信機２５は、家屋２４の内部に設置され、親局１１から送信されてきた防災無線信号を受信し、屋内の住民に防災情報を伝達する。設置場所としては、家屋２４の内部のうち、親局１１を臨む側に配置された部屋２６以外で住民が居る頻度の高い居間等の部屋２７が選択される。屋外アンテナ２８は、親局１１を臨む部屋２６の外壁に設置され、外壁にあけた貫通孔を通るケーブルを介して屋内の戸別受信機２５に接続される。これにより、防災無線信号の受信状況が不良な部屋２７に設置された戸別受信機２５でも、屋外アンテナ２８を用いて良好な受信状況を維持しつつ、居間等の住民にも防災情報を伝達できる。但し、部屋２７に居ない住民には防災情報を伝達できないこともあり得る。
【００２０】
実施の形態１．
図２は、本発明の実施の形態１に係る防災無線システムを示す構成図である。実施の形態１では、参照例と同一の構成は同一の参照符号を付して説明を省略する。防災無線システムは、防災無線信号を送信する親局１１と、屋外に設置された拡声子局１２と、家屋１４に戸別に設置され防災無線信号を受信する戸別受信機３０と、近距離無線受信機３１とを備えている。近距離無線受信機３１は、利用者である住民が携行できる小型の受信機であって、スピーカやＬＣＤ（Lequid Crystal Display）等のマンマシンインタフェースを備えていて、防災情報を住民に伝達可能である。ここでいう近距離無線としては、例えば、ＢＬＵＥＴＯＯＴＨ（登録商標）、ＷｉＦｉ（登録商標）、赤外線等が適用可能である。
【００２１】
図３は、戸別受信機の詳細構成を示す図である。戸別受信機３０は、親局１１から送信されてきた防災無線信号を受信する防災無線受信部３６と、この防災無線受信部３６によって受信された防災無線信号を近距離無線信号に変換する近距離変換部３７と、この近距離変換部３７によって変換された近距離無線信号を送信する近距離無線送信部３８とを備えている。
【００２２】
次に、実施の形態１の動作を説明する。
【００２３】
まず、防災無線信号が親局１１によって送信される。親局１１によって送信された防災無線信号は、戸別受信機３０の防災無線受信部３６によって受信される。防災無線受信部３６によって受信された防災無線信号は、近距離変換部３７によって近距離無線信号に変換される。近距離変換部３７によって変換された近距離無線信号は、近距離無線送信部３８によって送信される。戸別受信機３０の近距離無線送信部３８によって送信された近距離無線信号は、近距離無線受信機３１によって受信される。近距離無線信号を受信した近距離無線受信機３１では、近距離無線信号に含まれている防災情報がマンマシンインタフェースで出力され、住民に伝達される。
【００２４】
以上のように実施の形態１によれば、簡易な構成によって防災情報を住民に確実に伝達することができる。特に、住民が携行できる近距離無線受信機３１に防災情報を伝送するので、屋内のどの部屋に住民が居てもその住民に防災情報を伝達することができる。
【００２５】
実施の形態２．
図４は、本発明の実施の形態２に係る防災無線システムを示す構成図である。実施の形態２に係る防災無線システムは、実施の形態１とほぼ同様に構成される。実施の形態１と同一の構成については、同一の参照符号を付し説明を省略する。実施の形態１と異なるのは、戸別受信機３０が親局１１を臨む部屋１６の外壁に設置されていることのみである。戸別受信機３０は、屋外に設置するに際し防水加工等を施しても良い。
【００２６】
以上のように実施の形態２によれば、実施の形態１と同様に、簡易な構成によって防災情報を住民に確実に伝達することができる。特に、家屋１４の内部よりも受信状況の良好な屋外に戸別受信機３０を設置するので、屋外アンテナおよびケーブル等の設置を省略することができる。
【００２７】
実施の形態３．
図５は、本発明の実施の形態３に係る防災無線システムを示す構成図である。実施の形態３に係る防災無線システムでは、実施の形態１と同一の構成については、同一の参照符号を付し説明を省略する。防災無線システムは、防災無線信号を送信する親局１１と、屋外に設置された拡声子局１２と、家屋１４に戸別に設置され防災無線信号を受信する戸別受信機４０と、この戸別受信機４０を載置するクレードル５０と、近距離無線受信機３１とを備えている。
【００２８】
図６は、戸別受信機およびクレードルの詳細構成を示す図である。戸別受信機４０は、親局１１から送信されてきた防災無線信号を受信する防災無線受信部３６と、この防災無線受信部３６によって受信された防災無線信号をクレードル５０に出力する外部出力部４１とを備えている。
【００２９】
クレードル５０は、戸別受信機４０を載置する台座５４と、この台座５４に載置された戸別受信機４０の外部出力部４１に接続され、防災無線信号が入力される外部入力部５１と、この外部入力部５１に入力された防災無線信号を近距離無線信号に変換する近距離変換部５２と、この近距離変換部５２によって変換された近距離無線信号を送信する近距離無線送信部５３とを備えている。
【００３０】
この他、戸別受信機４０およびクレードル５０にはそれぞれ接続接点が設けられており、戸別受信機４０をクレードル５０の台座５４に載置したときに、両接続接点どうしが接触することによって、戸別受信機４０の外部出力部４１と、クレードル５０の外部入力部５１とが接続される構成となっている。
【００３１】
また、戸別受信機４０およびクレードル５０にはそれぞれ電力供給用の端子が設けられており、戸別受信機４０をクレードル５０の台座５４に載置したときに、両端子どうしが接続されることによって、クレードル５０から戸別受信機４０に電力が供給される構成となっている。
【００３２】
次に、実施の形態３の動作を説明する。
【００３３】
まず、防災無線信号が親局１１によって送信される。親局１１によって送信された防災無線信号は、戸別受信機４０の防災無線受信部３６によって受信される。防災無線受信部３６によって受信された防災無線信号は、外部出力部４１によって外部に出力される。戸別受信機４０の外部出力部４１によって出力された防災無線信号は、クレードル５０の外部入力部５１によって入力される。外部入力部５１によって入力された防災無線信号は、近距離変換部５２によって近距離無線信号に変換される。近距離変換部５２によって変換された近距離無線信号は、近距離無線送信部５３によって送信される。クレードル５０の近距離無線送信部５３によって送信された近距離無線信号は、近距離無線受信機３１によって受信される。近距離無線信号を受信した近距離無線受信機３１では、近距離無線信号に含まれている防災情報がマンマシンインタフェースで出力され、住民に伝達される。
【００３４】
以上のように実施の形態３によれば、実施の形態１と同様に、簡易な構成によって防災情報を住民に確実に伝達することができる。特に、戸別受信機に大掛かりな機能追加をしなくても、外付けのクレードル５０を利用することにより、比較的簡易な構成によって防災情報を住民に伝達できる。
【符号の説明】
【００３５】
１１  親局
１２  拡声子局
１４，２４  家屋
１５，２５，３０，４０  戸別受信機
１６，１７，２６，２７  部屋
２８  アンテナ
３１  近距離無線受信機
３６  防災無線受信部
３７，５２  近距離変換部
３８，５３  近距離無線送信部
４１  外部出力部
５０  クレードル
５１  外部入力部
５４  台座
【図１】
2015200923.tif 000003
【図２】
2015200923.tif 000004
【図３】
2015200923.tif 000005
【図４】
2015200923.tif 000006
【図５】
2015200923.tif 000007
【図６】
2015200923.tif 000008